(57)【要約】      （修正有）【課題】左舷側推進器と左舷側舵とからなる左舷側推進システムと、右舷側推進器と右舷側舵とからなる右舷側推進システムの２つの推進システムを船尾に備えている船舶の操縦システムにおいて、比較的簡単な操縦操作により、高度な操縦性を発揮できる、船舶の操縦システム、船舶、及び船舶の操縦方法を提供する。【解決手段】左舷側推進器と右舷側推進器の推進システムの前後方向の推進力の差により船舶の前進力又は後進力を得ると共に、これらの推進力により発生する船舶の旋回方向の第１旋回モーメントを、一方の舷側の推進システムの舵を取ることで発生させる船舶の旋回方向の第２旋回モーメントで相殺することで、船舶の回頭を回避しながら、船舶を他方の舷側側に並進させる制御を行う。【選択図】図３
2018086988.tif 000002
【特許請求の範囲】
【請求項１】
左舷側推進器と左舷側舵とからなる左舷側推進システムと、右舷側推進器と右舷側舵とからなる右舷側推進システムの２つの推進システムを船尾に備えている船舶の操縦システムにおいて、
一方の舷側の推進システムの後進力と他方の舷側の推進システムの前進力の差により船舶の前後方向の推進力を得ると共に、前記一方の舷側の推進システムの後進力と他方の舷側の推進システムの前進力により発生する船舶の旋回方向の第１旋回モーメントを、前記他方の舷側の推進システムの舵を取ることで発生させる船舶の旋回方向の第２旋回モーメントで相殺することで、船舶の回頭を回避しながら、船舶を前記一方の舷側側に移動させる並進制御と、
一方の舷側の推進システムの後進力を他方の舷側の推進システムの前進力で相殺することで、船舶の前後方向の推進力をゼロにすると共に、前記一方の舷側の推進システムの後進力と前記他方の舷側の推進システムの前進力により発生する船舶の旋回方向の第１旋回モーメントに、前記一方の舷側の推進システムの舵を取ることで発生させる船舶の旋回方向の第２旋回モーメントを加えて、船舶の旋回方向の回頭モーメントを得て、船舶の船首を前記他方の舷側の方向に向かってその場回頭させるその場回頭制御との
少なくとも一方の制御を行うように構成されている操縦用制御装置を備えていることを特徴とする船舶の操縦システム。
【請求項２】
前記操縦用制御装置が、
前記左舷側推進システムが発生する左舷側後進力の大きさと前記右舷側推進システムが発生する右舷側前進力の大きさを同じ大きさにするとともに、左舷側後進力と右舷側前進力とにより発生する第１旋回モーメントを前記右舷側舵を面舵にして発生させる第２旋回モーメントで相殺して、前記右舷側舵を面舵にして発生させる横方向力により船舶を左舷側に並進させる左舷側並進制御と、
前記左舷側推進システムが発生する左舷側前進力の大きさと前記右舷側推進システムが発生する右舷側後進力の大きさを同じ大きさにするとともに、左舷側前進力と右舷側後進力とにより発生する第１旋回モーメントを前記左舷側舵を取舵にして発生させる第２旋回モーメントで相殺して、前記左舷側舵を取舵にして発生させる横方向力により船舶を右舷側に並進させる右舷側並進制御とを行うように構成されていることを特徴とする請求項１に記載の船舶の操縦システム。
【請求項３】
前記操縦用制御装置が、
前記左舷側推進システムが発生する左舷側後進力の大きさよりも前記右舷側推進システムが発生する右舷側前進力の大きさを大きくするとともに、左舷側後進力と右舷側前進力とにより発生する第１旋回モーメントを前記右舷側舵を面舵にして発生させる第２旋回モーメントで相殺して、前記右舷側舵を面舵にして発生させる横方向力により船舶を左斜め前に並進させる左斜め前並進制御と、
前記左舷側推進システムが発生する左舷側前進力の大きさを前記右舷側推進システムが発生する右舷側後進力の大きさよりも大きくするとともに、左舷側前進力と右舷側後進力とにより発生する第１旋回モーメントを前記左舷側舵を取舵にして発生させる第２旋回モーメントで相殺して、前記左舷側舵を取舵にして発生させる横方向力により船舶を右斜め前に並進させる右斜め前並進制御とを行うように構成されていることを特徴とする請求項１又は２に記載の船舶の操縦システム。
【請求項４】
前記操縦用制御装置が、
前記左舷側推進システムが発生する左舷側後進力の大きさよりも前記右舷側推進システムが発生する右舷側前進力の大きさを小さくするとともに、左舷側後進力と右舷側前進力とにより発生する第１旋回モーメントを前記右舷側舵を面舵にして発生させる第２旋回モーメントで相殺して、前記右舷側舵を面舵にして発生させる横方向力により船舶を左斜め後に並進させる左斜め後並進制御と、
前記左舷側推進システムが発生する左舷側前進力の大きさを前記右舷側推進システムが発生する右舷側後進力の大きさよりも小さくするとともに、左舷側前進力と右舷側後進力とにより発生する第１旋回モーメントを前記左舷側舵を取舵にして発生させる第２旋回モーメントで相殺して、前記左舷側舵を取舵にして発生させる横方向力により船舶を右斜め後に並進させる右斜め後並進制御とを行うように構成されていることを特徴とする請求項１〜３のいずれか１項に記載の船舶の操縦システム。
【請求項５】
前記操縦用制御装置が、
前記左舷側推進システムが発生する左舷側後進力の大きさと前記右舷側推進システムが発生する右舷側前進力の大きさを同じ大きさにするとともに、左舷側後進力と右舷側前進力とにより発生する第１旋回モーメントに前記右舷側舵を取舵にして発生させる第２旋回モーメントを加えて船舶を上から見て反時計回りに回頭させるその場左回頭制御と、
前記左舷側推進システムが発生する左舷側前進力の大きさと前記右舷側推進システムが発生する右舷側後進力の大きさを同じ大きさにするとともに、左舷側後進力と右舷側前進力とにより発生する第１旋回モーメントに前記左舷側舵を面舵にして発生させる第２旋回モーメントを加えて船舶を上から見て時計回りに回頭させるその場右回頭制御とを行うように構成されていることを特徴とする請求項１〜４のいずれか１項に記載の船舶の操縦システム。
【請求項６】
前記操縦用制御装置が、左舷側に離桟若しくは離船する左舷側離桟制御、または、右舷側に離桟若しくは離船する右舷側離桟制御、または、左舷側に着桟若しくは接船する左舷側着桟制御、または、右舷側に着桟若しくは接船する右舷側着桟制御、のいずれか一方又は両方を、前記並進制御若しくは前記その場回頭制御の少なくとも一方を用いて自動で行う離着桟自動制御モードを備えていることを特徴とする請求項１〜５のいずれか１項に記載の船舶の操縦システム。
【請求項７】
操船の入力装置として、ジョイスティック型の移動情報入力部とダイヤル型の旋回情報入力部を備えていることを特徴とする請求項１〜６のいずれか１項に記載の船舶の操縦システム。
【請求項８】
前記操縦用制御装置が、
前記旋回情報入力部の入力が中立である場合で、
前記移動情報入力部の入力が左舷方向のときには船舶を回頭なしで左舷側に移動させ、前記移動情報入力部の入力が左斜め前のときには船舶を回頭なしで左斜め前に移動させ、前記移動情報入力部の入力が左斜め後のときには船舶を回頭なしで左斜め後に移動させると共に、
前記移動情報入力部の入力が右舷方向のときには船舶を回頭なしで右舷側に移動させ、前記移動情報入力部の入力が右斜め前のときには船舶を回頭なしで右斜め前に移動させ、前記移動情報入力部の入力が右斜め後のときには船舶を回頭なしで右斜め後に移動させるように構成されていることを特徴とする請求項７に記載の船舶の操縦システム。
【請求項９】
前記操縦用制御装置が、
前記移動情報入力部の入力が中立である場合で、
前記旋回情報入力部の入力が右舷方向の場合には船舶を前後移動なしでその場右回頭させると共に、前記旋回情報入力部の入力が左舷方向の場合には船舶を前後移動なしでその場左回頭させるように構成されていることを特徴とする請求項７又は８に記載の船舶の操縦システム。
【請求項１０】
請求項１〜９のいずれか１項に記載の船舶の操縦システムを備えていることを特徴とする船舶。
【請求項１１】
左舷側推進器と左舷側舵とからなる左舷側推進システムと、右舷側推進器と右舷側舵とからなる右舷側推進システムの２つの推進システムを船尾に備えている船舶の操縦方法において、
一方の舷側の推進システムの後進力と他方の舷側の推進システムの前進力の差により船舶の前後方向の推進力を得ると共に、前記一方の舷側の推進システムの後進力と他方の舷側の推進システムの前進力により発生する船舶の旋回方向の第１旋回モーメントを、前記他方の舷側の推進システムの舵を取ることで発生させる船舶の旋回方向の第２旋回モーメントで相殺することで、船舶の回頭を回避しながら、船舶を前記一方の舷側側に移動させることと、
一方の舷側の推進システムの後進力を他方の舷側の推進システムの前進力で相殺することで、船舶の前後方向の推進力をゼロにすると共に、前記一方の舷側の推進システムの後進力と他方の舷側の推進システムの前進力により発生する船舶の旋回方向の第１旋回モーメントと、前記一方の舷側の推進システムの舵を取ることで発生させる船舶の旋回方向の第２旋回モーメントの差により、船舶の旋回方向の回頭モーメントを得て、船舶の船首を前記他方の舷側側に向かってその場回頭させることとの
少なくとも一方を行うことを特徴とする船舶の操縦方法。
【発明の詳細な説明】
【技術分野】
【０００１】
本発明は、左舷側推進器と左舷側舵とからなる左舷側推進システムと、右舷側推進器と右舷側舵とからなる右舷側推進システムの２つの推進システムを船尾に備えている船舶における船舶の操縦システム、船舶、及び船舶の操縦方法に関する。
【背景技術】
【０００２】
定位置に留まって深海底調査を行う海洋観測船や海底堀削する特殊船などの船舶においては、波や風や潮流などに流されることなく、この船舶の船首方位や位置保持を行う必要があり、操船者の負担を軽くするために、自動定点保持システムが開発されてきている。
【０００３】
この自動定点保持システムで使用される船舶としては、例えば、船尾の２軸のプロペラと２つの舵（ラダー）に、船首のバウスラスタを組み合わせた船舶や、船尾のスタンスラスタと１軸のプロペラと１つの舵に、船首のバウスラスタを組み合わせた船舶などを使用して、前後制御力指令、横制御力指令および旋回力指令に基づいて推力配分を行って船の制御を行う自動方位設定方法が提案されている（例えば、特許文献１参照）。
【０００４】
また、トンネル型バウスラスタとプロペラとフラップ付舵や大角度の舵切りができる特殊舵を備えた船舶で、ジョイスティック、回頭ダイヤルなどを用いて、定点保持モード、スタンバイモード、ＪＯＹモード、方位保持モードなど各モードで制御を行う１軸１舵バウスラスタ船の定点保持システムも提案されている（例えば、特許文献２参照）。さらに、船首と船尾にそれぞれ設けられた２つのサイドスラスタと２軸２舵の船舶の定点保持制御装置も提案されている（例えば、特許文献３参照）。
【０００５】
しかしながら、これらの船舶においては、船首に設けられたバウスラスタを備えしており、バウスラスタを備えていない船舶では使用できず、また、バウスラスタを備えていても、船首近傍に配置された音響装置などの観測装置に対してバウスラスタの使用による影響が出るため、位置保持が必要な場合であっても、観測中はバウスラスタの使用が好ましくない状況では使用できないという問題がある。
【０００６】
一方、操船の目標値を簡便な操作により変更できるようにするために、ジョイスティック（ジョイスティックレバー）、回頭ダイヤル（旋回ダイヤル）などを用いて、船体の方位や船位などの目標値を変更することも行われている（例えば、特許文献２、４参照）。
【先行技術文献】
【特許文献】
【０００７】
【特許文献１】特開２０００−３０２０９８号公報
【特許文献２】特開２００９−２４１７３８号公報
【特許文献３】特開２０１０−１０５５５１号公報
【特許文献４】特開１９９７−１０４３９７号公報
【発明の概要】
【発明が解決しようとする課題】
【０００８】
本発明は、上記の状況を鑑みてなされたものであり、その目的は、左舷側推進器と左舷側舵とからなる左舷側推進システムと、右舷側推進器と右舷側舵とからなる右舷側推進システムの２つの推進システムを船尾に備えている船舶の操縦システムにおいて、比較的簡単な操縦操作により、高度な操縦性を発揮できる、船舶の操縦システム、船舶、及び船舶の操縦方法を提供することにある。
【課題を解決するための手段】
【０００９】
上記のような目的を達成するための船舶の操縦システムは、左舷側推進器と左舷側舵とからなる左舷側推進システムと、右舷側推進器と右舷側舵とからなる右舷側推進システムの２つの推進システムを船尾に備えている船舶の操縦システムにおいて、一方の舷側の推進システムの後進力と他方の舷側の推進システムの前進力の差により船舶の前後方向の推進力を得ると共に、前記一方の舷側の推進システムの後進力と他方の舷側の推進システムの前進力により発生する船舶の旋回方向の第１旋回モーメントを、前記他方の舷側の推進システムの舵を取ることで発生させる船舶の旋回方向の第２旋回モーメントで相殺することで、船舶の回頭を回避しながら、船舶を前記一方の舷側側に移動させる並進制御と、一方の舷側の推進システムの後進力を他方の舷側の推進システムの前進力で相殺することで、船舶の前後方向の推進力をゼロにすると共に、前記一方の舷側の推進システムの後進力と前記他方の舷側の推進システムの前進力により発生する船舶の旋回方向の第１旋回モーメントに、前記一方の舷側の推進システムの舵を取ることで発生させる船舶の旋回方向の第２旋回モーメントを加えて、船舶の旋回方向の回頭モーメントを得て、船舶の船首を前記他方の舷側の方向に向かってその場回頭させるその場回頭制御との少なくとも一方の制御を行うように構成されている操縦用制御装置を備えていることを特徴とする。なお、ここで「舵を取る」とは、舵を面舵又は取舵にすることをいう。また、ここで「並進」とは、船舶の船首方向が変化することなく、言い換えれば、船舶が回頭することなく、横方向や斜め前方向や斜め後方向に移動することをいう。また、左舷側推進器と右舷側推進器は固定ピッチプロペラや可変ピッチプロペラなどで構成することができる。
【００１０】
この構成によれば、一方の舷側側又は他方の舷側の片方の舵を取り、この片方の舵とは別の舵は当て舵のままとするだけで、並進及びその場回頭ができるので、制御のパラメータが、両舷の推進システムの推進力と一つの舵の舵角とになるので、比較的簡単な制御により操船可能となる。その結果、比較的簡単な操作により、船首スラスタを備えていなくても、船舶の回頭なしでの並進または、前進も後進もなしでのその場回頭ができるようになるので、著しく操縦性を向上することができ、定点位置保持や一定領域内における位置保持の自動操縦が著しく容易となる。
【００１１】
上記の船舶の操縦システムにおいて、前記操縦用制御装置が、前記左舷側推進システムが発生する左舷側後進力の大きさと前記右舷側推進システムが発生する右舷側前進力の大きさを同じ大きさにするとともに、左舷側後進力と右舷側前進力とにより発生する第１旋回モーメントを前記右舷側舵を面舵にして発生させる第２旋回モーメントで相殺して、前記右舷側舵を面舵にして発生させる横方向力により船舶を左舷側に並進させる左舷側並進制御と、前記左舷側推進システムが発生する左舷側前進力の大きさと前記右舷側推進システムが発生する右舷側後進力の大きさを同じ大きさにするとともに、左舷側前進力と右舷側後進力とにより発生する第１旋回モーメントを前記左舷側舵を取舵にして発生させる第２旋回モーメントで相殺して、前記左舷側舵を取舵にして発生させる横方向力により船舶を右舷側に並進させる右舷側並進制御とを行うように構成されていると、比較的簡単な操縦操作により、左舷側並進制御と右舷側並進制御とを行うことができる。
【００１２】
上記の船舶の操縦システムにおいて、前記操縦用制御装置が、前記左舷側推進システムが発生する左舷側後進力の大きさよりも前記右舷側推進システムが発生する右舷側前進力の大きさを大きくするとともに、左舷側後進力と右舷側前進力とにより発生する第１旋回モーメントを前記右舷側舵を面舵にして発生させる第２旋回モーメントで相殺して、前記右舷側舵を面舵にして発生させる横方向力により船舶を左斜め前に並進させる左斜め前並進制御と、前記左舷側推進システムが発生する左舷側前進力の大きさを前記右舷側推進システムが発生する右舷側後進力の大きさよりも大きくするとともに、左舷側前進力と右舷側後進力とにより発生する第１旋回モーメントを前記左舷側舵を取舵にして発生させる第２旋回モーメントで相殺して、前記左舷側舵を取舵にして発生させる横方向力により船舶を右斜め前に並進させる右斜め前並進制御とを行うように構成されていると、比較的簡単な操縦操作により、左斜め前並進制御、右斜め前並進制御とを行うことができる。
【００１３】
上記の船舶の操縦システムにおいて、前記操縦用制御装置が、前記左舷側推進システムが発生する左舷側後進力の大きさよりも前記右舷側推進システムが発生する右舷側前進力の大きさを小さくするとともに、左舷側後進力と右舷側前進力とにより発生する第１旋回モーメントを前記右舷側舵を面舵にして発生させる第２旋回モーメントで相殺して、前記右舷側舵を面舵にして発生させる横方向力により船舶を左斜め後に並進させる左斜め後並進制御と、前記左舷側推進システムが発生する左舷側前進力の大きさを前記右舷側推進システムが発生する右舷側後進力の大きさよりも小さくするとともに、左舷側前進力と右舷側後進力とにより発生する第１旋回モーメントを前記左舷側舵を取舵にして発生させる第２旋回モーメントで相殺して、前記左舷側舵を取舵にして発生させる横方向力により船舶を右斜め後に並進させる右斜め後並進制御とを行うように構成されていると、比較的簡単な操縦操作により、左斜め後並進制御と右斜め後並進制御とを行うことができる。
【００１４】
上記の船舶の操縦システムにおいて、前記操縦用制御装置が、前記左舷側推進システムが発生する左舷側後進力の大きさと前記右舷側推進システムが発生する右舷側前進力の大きさを同じ大きさにするとともに、左舷側後進力と右舷側前進力とにより発生する第１旋回モーメントに前記右舷側舵を取舵にして発生させる第２旋回モーメントを加えて船舶を上から見て反時計回りに回頭させるその場左回頭制御と、前記左舷側推進システムが発生する左舷側前進力の大きさと前記右舷側推進システムが発生する右舷側後進力の大きさを同じ大きさにするとともに、左舷側後進力と右舷側前進力とにより発生する第１旋回モーメントに前記左舷側舵を面舵にして発生させる第２旋回モーメントを加えて船舶を上から見て時計回りに回頭させるその場右回頭制御とを行うように構成されていると、比較的簡単な操縦操作により、その場右回頭制御とその場左回頭制御を行うことができる。
【００１５】
上記の船舶の操縦システムにおいて、前記操縦用制御装置が、左舷側に離桟若しくは離船する左舷側離桟制御、または、右舷側に離桟若しくは離船する右舷側離桟制御、または、左舷側に着桟若しくは接船する左舷側着桟制御、または、右舷側に着桟若しくは接船する右舷側着桟制御、のいずれか一方又は両方を、前記並進制御若しくは前記回頭制御の少なくとも一方を用いて自動で行う離着桟自動制御モードを備えていると、桟橋や船舶から、容易に、離桟又は離船することができ、また、着桟又は接船の対象物から離れている距離から、容易に、その対象物に着桟又は接船することができる。
【００１６】
上記の船舶の操縦システムにおいて、操船の入力装置として、ジョイスティック型の移動情報入力部とダイヤル型の旋回情報入力部を備えていると、非常に簡便なジョイスティック等で構成できる移動情報入力部と、ダイヤルなどで構成できる旋回情報入力部における比較的簡単な操縦操作の入力により、各種の操船を行うことができるようになる。
【００１７】
上記の船舶の操縦システムにおいて、前記操縦用制御装置が、前記旋回情報入力部の入力が中立である場合で、前記移動情報入力部の入力が左舷方向のときには船舶を回頭なしで左舷側に移動させ、前記移動情報入力部の入力が左斜め前のときには船舶を回頭なしで左斜め前に移動させ、前記移動情報入力部の入力が左斜め後のときには船舶を回頭なしで左斜め後に移動させると共に、前記移動情報入力部の入力が右舷方向のときには船舶を回頭なしで右舷側に移動させ、前記移動情報入力部の入力が右斜め前のときには船舶を回頭なしで右斜め前に移動させ、前記移動情報入力部の入力が右斜め後のときには船舶を回頭なしで右斜め後に移動させるように構成されていると、移動情報入力部と旋回情報入力部における比較的簡単な操縦操作の入力により、各種の操船を容易に行うことができる。
【００１８】
上記の船舶の操縦システムにおいて、前記操縦用制御装置が、前記移動情報入力部の入力が中立である場合で、前記旋回情報入力部の入力が右舷方向の場合には船舶を前後移動なしでその場右回頭させると共に、前記旋回情報入力部の入力が左舷方向の場合には船舶を前後移動なしでその場左回頭させるように構成されていると、移動情報入力部と旋回情報入力部における比較的簡単な操縦操作の入力により、各種の操船を容易に行うことができる。
【００１９】
そして、上記のような目的を達成するための船舶は、上記の船舶の操縦システムを備えていることを特徴とし、上記の船舶の操縦システムの効果を発揮できる。
【００２０】
また、上記のような目的を達成するための船舶の操縦方法は、左舷側推進器と左舷側舵とからなる左舷側推進システムと、右舷側推進器と右舷側舵とからなる右舷側推進システムの２つの推進システムを船尾に備えている船舶の操縦方法において、一方の舷側の推進システムの後進力と他方の舷側の推進システムの前進力の差により船舶の前後方向の推進力を得ると共に、前記一方の舷側の推進システムの後進力と他方の舷側の推進システムの前進力により発生する船舶の旋回方向の第１旋回モーメントを、前記他方の舷側の推進システムの舵を取ることで発生させる船舶の旋回方向の第２旋回モーメントで相殺することで、船舶の回頭を回避しながら、船舶を前記一方の舷側側に移動させることと、一方の舷側の推進システムの後進力を他方の舷側の推進システムの前進力で相殺することで、船舶の前後方向の推進力をゼロにすると共に、前記一方の舷側の推進システムの後進力と他方の舷側の推進システムの前進力により発生する船舶の旋回方向の第１旋回モーメントと、前記一方の舷側の推進システムの舵を取ることで発生させる船舶の旋回方向の第２旋回モーメントの差により、船舶の旋回方向の回頭モーメントを得て、船舶の船首を前記他方の舷側側に向かってその場回頭させることとの少なくとも一方を行うことを特徴とする方法である。
【００２１】
この方法によれば、船首スラスタを備えていなくても、比較的簡単な操作により、船舶の回頭なしでの並進または、前進も後進もなしでのその場回頭ができるようになるので、著しく操縦性を向上することができ、定点位置保持や一定領域内における位置保持の自動操縦が著しく容易となる。
【００２２】
そして、上記のような各種制御による操船が可能になると、波や風や潮流がある海域においても、洋上で指定された位置やエリア内に自動的に留まる定点保持操船や、観測機器等が設置された特定地点から一定距離内に船位を保つ定領域内操船や、水中観測機器などに対して一定の距離を保って追従する定距離維持操船や、複数の船舶が並行して一定の距離を保ちつつ航行して観測や漁を行う並行航行操船や、入出港で桟橋に着桟したり、桟橋から離桟したりする際に、曳船等の支援を必要とせずに離着桟する離着桟の操船や、洋上で母船などに離着する離着船操船などを、移動情報入力部と旋回情報入力部の操作で容易に行うことができるようになり、これらの操船を必要とするような状況における操船者の負担を著しく軽減できるようになる。
【発明の効果】
【００２３】
本発明の船舶の操縦システム、船舶、及び船舶の操縦方法によれば、左舷側推進器と左舷側舵とからなる左舷側推進システムと、右舷側推進器と右舷側舵とからなる右舷側推進システムの２つの推進システムを船尾に備えている船舶の操縦システムにおいて、比較的簡単な操縦操作により、高度な操縦性を発揮できる。
【図面の簡単な説明】
【００２４】
【図１】本発明の実施の形態の船舶の操縦システム、及び船舶における構成を模式的に示す図である。
【図２】本発明の実施の形態の船舶の操縦システムにおけるモードの構成を示す図である。
【図３】船舶の操縦システムの離着桟制御モードの構成を示す図である。
【図４】船舶の操縦システムの離着桟自動制御モードの構成を示す図である。
【図５】前進直進制御を説明するための図である。
【図６】左舷並進制御を説明するための図である。
【図７】右舷並進制御を説明するための図である。
【図８】左斜め前並進制御を説明するための図である。
【図９】右斜め前並進制御を説明するための図である。
【図１０】左斜め後並進制御を説明するための図である。
【図１１】右斜め後並進制御を説明するための図である。
【図１２】その場右回頭制御を説明するための図である。
【図１３】その場左回頭制御を説明するための図である。
【図１４】左舷側離桟制御を説明するための図である。
【図１５】右舷側離桟制御を説明するための図である。
【図１６】左舷側着桟制御を説明するための図である。
【図１７】右舷側着桟制御を説明するための図である。
【図１８】連続左舷側着桟制御を説明するための図である。
【図１９】連続右舷側着桟制御を説明するための図である。
【発明を実施するための形態】
【００２５】
以下、本発明に係る実施の形態の船舶の操縦システム、船舶、及び船舶の操縦方法について、図面を参照しながら説明する。ここでは、船首にバウスラスタを備えていない船舶を例にして説明するが、船首にバウスラスタを備えていても、水中音響機器などの使用時におけるバウスラスタ禁止時における操船操作にも使用することができるので、本発明は、必ずしも、バウスラスタを備えていない船舶に限定する必要は無く、バウスラスタを備えていてもよい。ここでは、バウスラスタを使用しない操船を扱っているが、バウスラスタの併用により、さらに操縦性能を向上することができる。
【００２６】
また、なお、ここで「舵を取る」とは、船舶に旋回力を発生しない当て舵の舵角をゼロにした場合に、このゼロの位置から舵角を変化させて、舵を船舶に対して上から見て時計回り方向の旋回力を発生する舵の取り方である面舵したり、又は、舵を船舶に対して上から見て反時計回り方向の旋回力を発生する舵の取り方である取舵にしたりすることをいう。
【００２７】
さらに、ここでの「並進」とは、船舶の船首方向が変化することなく、言い換えれば、船舶が変針することなく、横方向や斜め前方向や斜め後方向に移動することをいう。また、「前進力」、「後進力」には、それぞれ「前進力がゼロ」、「後進力がゼロ」の場合も含むものとする。
【００２８】
図１に示すように、この船舶１は、左舷側推進器２ａと左舷側舵２ｂとからなる左舷側推進システム２と、右舷側推進器３ａと右舷側舵３ｂとからなる右舷側推進システム３の２つの推進システム２、３を船尾に備えて構成する。この左舷側推進器２ａと右舷側推進器３ａの両方をプロペラで構成する。このプロペラは固定ピッチプロペラで構成してもよいが、可変ピッチプロペラで構成すると推力の変更が容易となるのでより好ましい。また、この入力装置２０と操縦制御装置３０を備えている。この入力装置２０は、ジョイスティック等で構成される移動情報入力部２１と、ダイヤル等で構成される旋回情報入力部２２とを有して構成される。
【００２９】
また、操縦制御装置３０は、移動情報入力部２１からの傾倒方向（操船方向：船の移動方向）と、その方向におけるジョイスティックの傾斜角度の大きさの傾斜角度のデータと、旋回情報入力部２２からのダイヤルの旋回方向とダイヤル角度のデータの他にも、ＧＰＳ装置、ログ等からの船舶１の位置情報や速度情報、ジャイロ装置からの船首方位情報や、風向風速計からの情報、水中測位装置からの情報、レーダーからの情報、距離測定装置や測距通信装置などのからの情報などを入力して、左舷側推進器２ａと右舷側推進器３ａのそれぞれにおける前進又は後進の選択と、発生する推力の大きさの指令とを、それぞれの可変ピッチプロペラの制御装置２ａｃ、３ａｃに出力し、また、左舷側舵２ｂと右舷側舵３ｂの面舵と取舵の選択と、その舵角の大きさの指令とをそれぞれの舵取装置２ｂｃ、３ｂｃに出力する。
【００３０】
つまり、この船舶の操縦システム１０では、操船者が、操船のために入力装置２０で移動情報入力部２１と旋回情報入力部２２を操作すると、操縦制御装置３０は、この移動情報入力部２１からの傾倒方向と傾斜角度のデータ、及び、旋回情報入力部２２からのダイヤルの旋回方向とダイヤル角度のデータを受けて、推進器２ａ、３ａと舵２ｂ、３ｂを統合制御して、船舶の前進、後進、並進、斜め前並進、斜め後並進、その場回頭など操船を行う。
【００３１】
この船舶の操縦システム１０は次のような制御手段を備えて構成される。つまり、図２に示すように、通常の周知の操船モードＭ１１の他に離着桟制御モードＭ１２と離着桟自動制御モードＭ１３を備えている。
【００３２】
「操船モードＭ１１」と、「離着桟制御モードＭ１２、離着桟自動制御モードＭ１３」では、この移動情報入力部２１からの傾倒方向と傾斜角度のデータの操船上の意味と、旋回情報入力部２２からのダイヤルの旋回方向とダイヤル角度のデータの操船上の意味は異ならせて、それぞれの制御モードに適した入力データの意味とする。これにより、データの入力部の数の増加を回避する。
【００３３】
そして、この「離着桟制御モードＭ１２、離着桟自動制御モードＭ１３」における「並進制御、斜め並進制御」では、移動情報入力部２１の傾倒方向は、船舶１の並進移動させたい方向を意味し、移動情報入力部２１の傾倒角度は、その並進移動のために発生する力の大きさを意味し、傾倒角度が大きい程、その並進移動のために発生する力を大きくする。
【００３４】
また、「その場旋回制御」では、旋回情報入力部２２のダイヤルの旋回方向は、船舶１の旋回方向を意味し、旋回情報入力部２２のダイヤル角度は、その旋回のために発生する旋回モーメントの大きさを意味し、ダイヤル角度が大きい程、その旋回のために発生する旋回モーメントを大きくする。
【００３５】
そして、図３に示すように、離着桟制御モードＭ１２においては、前進直進制御手段１１、左舷並進制御手段１２ａと右舷並進制御手段１２ｂとからなる並進制御手段１２、左斜め前並進制御手段１３ａと右斜め前並進制御手段１３ｂとからなる斜め前並進制御手段１３、左斜め後並進制御手段１４ａと右斜め後並進制御手段１４ｂとからなる斜め後並進制御手段１４、その場右回頭制御手段１５ａとその場左回頭制御手段１５ｂとからなるその場回頭制御手段１５などを備えている。
【００３６】
この離着桟制御モードＭ１２の前進直進制御手段１１は、図５に示すように、移動情報入力部２１の傾倒方向が前方向でかつ旋回情報入力部２２の舵角がゼロのときに、左舷側舵２ｂと右舷側舵３ｂの両方の舵角をゼロにする制御をして、左舷側推進器２ａと右舷側推進器３ａとが同じ前進力を発生して、左舷側推進システム２と右舷側推進システム３の両方が同じ前進力Ｔａ、Ｔｂの前進力Ｆｘを発生する制御をして、前進する前進直進制御を行う手段である。この前進力Ｆｘの大きさは、移動情報入力部２１からの傾斜角度データが大きい程大きくする。この場合に、左舷側推進器２ａと右舷側推進器３ａで発生した水流Ｗは、左舷側舵２ｂと右舷側舵３ｂの舵面に沿って流れ、横方向の舵力は発生しない。
【００３７】
なお、舵角をゼロにする制御とは厳密にいえば、船舶１の前後方向に対する角度がゼロではなく、一般的には、船舶１が直進するように当て舵を取るので、この当て舵の角度をゼロとする。
【００３８】
また、並進制御手段１２においては、左舷並進制御手段１２ａでは、図６に示すように、移動情報入力部２１の傾倒方向が左舷方向でかつ旋回情報入力部２２の舵角がゼロの角度（中立）のときに、左舷側推進システム２が発生する左舷側後進力Ｔａの大きさと右舷側推進システム３が発生する右舷側前進力Ｔａの大きさを同じ大きさにする。
【００３９】
それと供に、左舷側後進力Ｔａと右舷側前進力Ｔｂとにより発生する第１旋回モーメントＭ１を右舷側舵３ｂを面舵にして発生させる第２旋回モーメントＭ２で相殺して、右舷側舵３ｂを面舵にして発生させる横方向力Ｆｙにより船舶１を左舷側に並進させる左舷側並進制御を行う。この場合に、右舷側推進器３ａで発生した水流Ｗは面舵となっている右舷側舵３ｂの舵面に当たり、左舷方向の成分Ｆｙを持つ舵力を発生する。この横方向力Ｆｙの大きさは、移動情報入力部２１からの傾斜角度データが大きい程大きくする。
【００４０】
また、右舷並進制御手段１２ｂでは、図７に示すように、移動情報入力部２１の傾倒方向が右舷方向でかつ旋回情報入力部２２の舵角がゼロの角度（中立）のときに、左舷側推進システム２が発生する左舷側前進力Ｔａの大きさと右舷側推進システム３が発生する右舷側後進力Ｔｂの大きさを同じ大きさにする。
【００４１】
それと供に、左舷側前進力Ｔａと右舷側後進力Ｔｂとにより発生する第１旋回モーメントＭ１を左舷側舵２ｂを取舵にして発生させる第２旋回モーメントＭ２で相殺して、左舷側舵２ｂを取舵にして発生させる横方向力Ｆｙにより船舶１を右舷側に並進させる右舷並進制御を行う。この場合に、左舷側推進器２ａで発生した水流Ｗは取舵となっている左舷側舵２ｂの舵面に当たり、右舷方向の成分Ｆｙを持つ舵力を発生する。この横方向力Ｆｙの大きさは、移動情報入力部２１からの傾斜角度データが大きい程大きくする。
【００４２】
そして、斜め前並進制御手段１３においては、左斜め前並進制御手段１３ａでは、図８に示すように、移動情報入力部２１の傾倒方向が左斜め前方向でかつ旋回情報入力部２２の舵角がゼロの角度（中立）のときに、左舷側推進システム２が発生する左舷側後進力Ｔａの大きさよりも右舷側推進システム３が発生する右舷側前進力Ｔａの大きさを大きくする。これにより、船舶１における前後方向の前進力Ｆｘを得る。この前進力Ｆｘの大きさは、移動情報入力部２１からの傾斜角度データが大きい程大きくする。
【００４３】
それと共に、左舷側後進力Ｔａと右舷側前進力Ｔｂとにより発生する第１旋回モーメントＭ１を右舷側舵３ｂを面舵にして発生させる第２旋回モーメントＭ２で相殺して、右舷側舵３ｂを面舵にして発生させる横方向力Ｆｙにより、横方向力Ｆｙを得る。この横方向力Ｆｙと前進力Ｆｘとの合成により、船舶１を左斜め前に並進させる左斜め前並進制御を行う。この場合に、右舷側推進器３ａで発生した水流Ｗは面舵となっている右舷側舵３ｂの舵面に当たり、左舷方向の成分Ｆｙを持つ舵力を発生する。
【００４４】
また、右斜め前並進制御手段１３ｂでは、図９に示すように、移動情報入力部２１の傾倒方向が右斜め前方向でかつ旋回情報入力部２２の舵角がゼロの角度（中立）のときに、左舷側推進システム２が発生する左舷側前進力Ｔａの大きさを右舷側推進システム３が発生する右舷側後進力Ｔｂの大きさよりも大きくする。これにより、船舶１における前後方向の前進力Ｆｘを得る。この前進力Ｆｘの大きさは、移動情報入力部２１からの傾斜角度データが大きい程大きくする。
【００４５】
それと共に、左舷側前進力Ｔａと右舷側後進力Ｔｂとにより発生する第１旋回モーメントＭ１を左舷側舵２ｂを取舵にして発生させる第２旋回モーメントＭ２で相殺して、左舷側舵２ｂを取舵にして発生させる横方向力Ｆｙにより、横方向力Ｆｙを得る。この横方向力Ｆｙと前進力Ｆｘとの合成により、船舶１を右斜め前に並進させる右斜め前並進制御を行う。この場合に、左舷側推進器２ａで発生した水流Ｗは取舵となっている左舷側舵２ｂの舵面に当たり、右舷方向の成分Ｆｙを持つ舵力を発生する。
【００４６】
そして、斜め後並進制御手段１４においては、左斜め後並進制御手段１４ａでは、図１０に示すように、移動情報入力部２１の傾倒方向が左斜め後方向でかつ旋回情報入力部２２の舵角がゼロの角度（中立）のときに、左舷側推進システム２が発生する左舷側後進力Ｔａの大きさよりも右舷側推進システム３が発生する右舷側前進力Ｔａの大きさを小さくする。これにより、船舶１における前後方向の後進力Ｆｘを得る。この後進力Ｆｘの大きさは、移動情報入力部２１からの傾斜角度データが大きい程大きくする。
【００４７】
それと共に、左舷側後進力Ｔａと右舷側前進力Ｔｂとにより発生する第１旋回モーメントＭ１を右舷側舵３ｂを面舵にして発生させる第２旋回モーメントＭ２で相殺して、右舷側舵３ｂを面舵にして発生させる横方向力Ｙにより、横方向力Ｆｙを得る。この横方向力Ｆｙと後進力Ｆｘとの合成により、船舶１を左斜め後に並進させる左斜め後並進制御を行う。この場合に、右舷側推進器３ａで発生した水流Ｗは面舵となっている右舷側舵３ｂの舵面に当たり、左舷方向の成分Ｆｙを持つ舵力を発生する。
【００４８】
また、右斜め前並進制御手段１３ｂでは、図１１に示すように、移動情報入力部２１の傾倒方向が右斜め後方向でかつ旋回情報入力部２２の舵角がゼロの角度（中立）のときに、左舷側推進システム２が発生する左舷側前進力Ｔａの大きさを右舷側推進システム３が発生する右舷側後進力Ｔｂの大きさよりも小さくする。これにより、船舶１における前後方向の後進力Ｆｘを得る。この後進力Ｆｘの大きさは、移動情報入力部２１からの傾斜角度データが大きい程大きくする。
【００４９】
それと供に、左舷側前進力Ｔａと右舷側後進力Ｔｂとにより発生する第１旋回モーメントＭ１を左舷側舵２ｂを取舵にして発生させる第２旋回モーメントＭ２で相殺して、左舷側舵２ｂを取舵にして発生させる横方向力Ｙにより、横方向力Ｆｙを得る。この横方向力Ｆｙと後進力Ｆｘとの合成により、船舶１を右斜め後に並進させる右斜め後並進制御を行う。この場合に、左舷側推進器２ａで発生した水流Ｗは取舵となっている左舷側舵２ｂの舵面に当たり、右舷方向の成分Ｆｙを持つ舵力を発生する。
【００５０】
そして、その場回頭制御手段１５においては、その場右回頭制御手段１５ａでは、図１２に示すように、移動情報入力部２１の傾倒がゼロ（中立）でかつ旋回情報入力部２２の舵角が右舷方向の角度であるときに、左舷側推進システム２が発生する左舷側後進力Ｔａの大きさと右舷側推進システム３が発生する右舷側前進力Ｔｂの大きさを同じにする。
【００５１】
それと供に、左舷側後進力Ｔａと右舷側前進力Ｔｂとにより発生する第１旋回モーメントＭ１に左舷側舵２ｂを面舵にして発生させる第２旋回モーメントＭ２を加えて、船舶１を上から見て時計回りに回頭させるその場右回頭制御を行う。この場合に、左舷側推進器２ａで発生した水流Ｗは面舵となっている左舷側舵２ｂの舵面に当たり、左舷方向の成分Ｆｙを持つ舵力を発生する。この横方向力Ｆｙの大きさは、旋回情報入力部２２からの旋回力の大きさを示すダイヤル角度が大きい程大きくする。
【００５２】
また、その場左回頭制御手段１５ｂでは、図１３に示すように、移動情報入力部２１の傾倒がゼロ（中立）でかつ旋回情報入力部２２の舵角が左舷方向の角度であるときに、左舷側推進システム２が発生する左舷側前進力Ｔａの大きさと右舷側推進システム３が発生する右舷側後進力Ｔｂの大きさを同じにする。
【００５３】
それと供に、左舷側後進力Ｔａと右舷側前進力Ｔｂとにより発生する第１旋回モーメントＭ１に右舷側舵３ｂを取舵にして発生させる第２旋回モーメントＭ２を加えて、船舶を上から見て反時計回りに回頭させるその場左回頭制御を行う。この場合に、右舷側推進器３ａで発生した水流Ｗは取舵となっている右舷側舵３ｂの舵面に当たり、右舷方向の成分Ｆｙを持つ舵力を発生する。この横方向力Ｆｙの大きさは、旋回情報入力部２２からの旋回力の大きさを示すダイヤル角度が大きい程大きくする。
【００５４】
つまり、左舷並進制御、右舷並進制御、左斜め前並進制御、右斜め前並進制御、左斜め後並進制御、右斜め後並進制御の並進制御では、一方の舷側（左舷または右舷）の推進システム（２または３）の後進力（ＴａまたはＴｂ）と他方の舷側（右舷または左舷）の推進システム（３または２）の前進力（ＴｂまたはＴａ）の差により船舶１の前後方向の推進力Ｆｘを得る。
【００５５】
それと共に、一方の舷側の推進システムの後進力と他方の舷側の推進システムの前進力により発生する船舶１の旋回方向（反時計回りまたは時計回り）の第１旋回モーメントＭ１を、他方の舷側の推進システムの舵（右舷側舵または左舷側舵）を取ることで発生させる船舶１の旋回方向（時計回りまたは反時計回り）の第２旋回モーメントＭ２で相殺することで、船舶１の回頭を回避しながら、他方の舷側側の舵によって発生する横方向力Ｆｙを発生さえて、船舶１を一方の舷側側に移動させる。
【００５６】
また、その場右回頭制御とその場左回頭制御のその場回頭制御では、一方の舷側（左舷または右舷）の推進システム（２または３）の後進力（ＴａまたはＴｂ）を他方の舷側（右舷または左舷）の推進システム（３または２）の前進力（ＴｂまたはＴａ）で相殺することで、船舶１の前後方向の推進力Ｆｘをゼロにする。
【００５７】
それと共に、一方の舷側の推進システムの後進力と他方の舷側の推進システムの前進力により発生する船舶１の旋回方向（時計回りまたは反時計回り）の第１旋回モーメントＭ１に、一方の舷側の推進システムの舵（左舷側舵または右舷側舵）を取ることで発生させる船舶の旋回方向（時計回りまたは反時計回り）の第２旋回モーメントＭ２を加えることにより、船舶１（時計回りまたは反時計回り）の旋回方向の回頭モーメント（Ｍ１＋Ｍ２）を得て、船舶１の船首を他方の舷側の方向に向かって回頭させる。
【００５８】
〔請求項１の作用効果〕・・・並進、その場回頭
これらの構成によれば、一方の舷側側又は他方の舷側の片方の舵２ｂ（３ｂ）を取り、この片方の舵２ｂ（３ｂ）とは別の舵３ｂ（２ｂ）は当て舵のままとするだけで、並進及びその場回頭ができるので、制御のパラメータが、両舷の推進システム２、３の推進力Ｔａ、Ｔｂと一つの舵の舵角２ｂ（３ｂ）になるので、比較的簡単な制御による操船可能となる。その結果、比較的簡単な操作により、船首スラスタを備えていなくても、船舶１の回頭なしでの並進または、前進も後進もなしでのその場回頭ができるようになるので、著しく操縦性を向上することができ、定点位置保持や一定領域内における位置保持の自動操縦が著しく容易となる。
【００５９】
そして、図４に示すように、さらに、離着桟自動制御モードＭ１３において、離桟自動制御モードＭ１３１では、左舷側離桟制御手段１６ａと右舷側離桟制御手段１６ｂとからなる離桟制御手段１６を備え、着桟自動制御モードＭ１３２では、左舷側着桟制御手段１７ａと右舷側着桟制御手段１７ｂとからなる着桟制御手段１７を備え、連続着桟自動制御モードＭ１３３において、連続左舷側着桟制御手段１８ａと連続右舷側着桟制御手段１８ｂとからなる連続着桟制御手段１８を備えている。
【００６０】
そして、この離桟自動制御モードＭ１３１を使用する場合においては、入力装置２０に備えたスイッチ等で「離桟自動制御モード」を選択する。離桟制御手段１６の左舷側離桟制御手段１６ａでは、図１４に示すように、右舷並進制御手段１２ｂによる右舷並進制御、又は、右斜め前並進制御手段１３ｂによる右斜め前並進制御を用いて左舷側にある桟橋５０（若しくは母船）から離桟（若しくは離船）する左舷側離桟制御を自動で行う。また、離桟制御手段１６の右舷側離桟制御手段１６ｂでは、図１５に示すように、左舷並進制御手段１２ａによる左舷並進制御、又は、左斜め前並進制御手段１３ａによる左斜め前並進制御を用いて右舷側にある桟橋５０（若しくは母船）から離桟（若しくは離船）する右舷側離桟制御を自動で行う。
【００６１】
そして、離桟制御手段１６の左舷側離桟制御手段１６ａ（若しくは右舷側離桟制御手段１６ｂ）により、前進しつつ桟橋５０から離桟し、前進方向の距離と船舶１の舷側と桟橋５０との間の離桟距離を算出しながら、これらの距離に見合った船舶１の速度を算出しながらその速度に増速して、図１４に示すように右斜め前並進を行い、左舷側の桟橋５０から離桟する。あるいは、図１５に示すように左斜め前並進を行い、右舷側の桟橋５０から離桟する。特に図示しないが、桟橋５０の代わりに母船からに離船するときも同様である。
【００６２】
これらの操作を自動で行うことは、予め、熟練した操船者により移動情報入力部２１と旋回情報入力部２２とにより、船舶１の離桟操作（若しくは離船操作）をして、そのときのデータを記憶しておき、実際の離桟の操船時に離桟自動制御モードＭ１３１で再現し、さらに、その時の状況を学習しつつデータを更新することで容易に自動化することができる。
【００６３】
また、着桟自動制御モードＭ１３２においては、着桟制御手段１７の左舷側着桟制御手段１７ａでは、図１６に示すように、左斜め前並進制御手段１３ａによる左斜め前制御、又は、左舷並進制御手段１２ａによる左舷並進制御を用いて、左舷側に着桟（若しくは接船）する左舷側着桟制御を自動で行う。また、着桟制御手段１７の右舷側着桟制御手段１７ｂでは、図１７に示すように、右斜め前並進制御手段１３ｂによる右斜め前制御、又は、右舷並進制御手段１２ｂによる右舷並進制御を用いて、右舷側に着桟（若しくは接船）する右舷側着桟制御を自動で行う。
【００６４】
この着桟自動制御モードＭ１３２を使用する場合には、桟橋５０近傍において、入力装置２０で「着桟自動制御モード」を選択し、桟橋５０の着桟地点の前進方向の距離と着桟方向（船幅方向の）の離桟距離とを入力装置２０に入力する。これらの着桟地点の前進方向の距離と着桟方向の離桟距離は、ＧＰＳによる自船の位置と、着桟地点との位置データを取り込んだり、入力したりすることで行うことができる。
【００６５】
そして、前進方向の距離と舷側からの離桟距離を算出しながら、あるいは、距離測定装置等により測定しながら、着桟地点までの距離に応じて、実験などにより予め設定されている速度を算出して、この速度に減速しつつ、図１６に示すように、左斜め前並進と左舷並進を行い左舷側の桟橋５０に着桟する。あるいは、図１７に示すように、右斜め前並進と右舷並進を行い右舷側の桟橋５０に着桟する。桟橋５０の代わりに母船に接船するときも同様である。
【００６６】
これらの操作を自動で行うことは、予め、熟練した操船者により移動情報入力部２１と旋回情報入力部２２とにより、船舶１の着桟操作（若しくは接船操作）をして、そのときのデータを記憶しておき、実際の着桟の操船時に着桟自動制御モードＭ１３２で再現し、さらに、その時の状況を学習しつつデータを更新することで容易に自動化することができる。
【００６７】
また、連続着桟自動制御モードＭ１３３においては、連続着桟制御手段１８の連続左舷側着桟制御手段１８ａでは、図１８に示すように、操船モードＭ１１の各種の周知の操船により、自動で、直進、前進左回頭、前進右回頭等の組み合わせで、着桟距離が、予め設定した距離になったときに、「着桟自動制御モード」に自動的に切り換えて、着桟自動制御モードＭ１３２の左舷側着桟制御手段１７ａを使用して自動的に着桟する。
【００６８】
また、連続着桟制御手段１８の連続右舷側着桟制御手段１８ｂでは、図１９に示すように、操船モードＭ１１の各種の周知の操船により、自動で、直進、前進左回頭、前進右回頭等の組み合わせで、着桟距離が、予め設定した距離になったときに、「着桟自動制御モード」に自動的に切り換えて、着桟自動制御モードＭ１３２の左舷側着桟制御手段１７ａを使用して自動的に着桟する。
【００６９】
この連続着桟自動制御モードＭ１３３を使用する場合には、桟橋５０近傍において、入力装置２０で「連続着桟自動制御モード」を選択し、桟橋５０の着桟地点の前進方向の距離と着桟方向（船幅方向の）の離桟距離とを入力装置２０に入力する。これらの着桟地点の前進方向の距離と着桟方向の離桟距離は、ＧＰＳによる自船の位置と、着岸地点との位置データを取り込んだり、入力したりすることで行うことができる。
【００７０】
そして、前進方向の距離と舷側からの離桟距離を算出しながら、あるいは、距離測定装置等により測定しながら、着桟地点までの距離に応じて、実験などにより予め設定されている速度を算出して、この速度に減速しつつ、図１８に示すように、前進、左回頭、右回頭を必要応じて繰り返し行い、その後、「着桟自動制御モード」に入り、最後は左斜め前並進制御と左舷並進制御で左舷側の桟橋５０に着桟する。あるいは、図１９に示すように、前進、右回頭、左回頭を必要応じて繰り返し行い、その後、「着桟自動制御モード」に入り、最後は右斜め前並進制御と右舷並進制御で右舷側の桟橋５０に着桟する。桟橋５０の代わりに母船に接船するときも同様である。
【００７１】
これらの操作を自動で行うことは、予め、熟練した操船者により移動情報入力部２１と旋回情報入力部２２とにより、船舶１の連続着桟操作（若しくは連続接船操作）をして、そのときのデータを記憶しておき、実際の着桟の操船時に連続着桟自動制御モードＭ１３３で再現し、さらに、その時の状況を学習しつつデータを更新することで容易に自動化することができる。
【００７２】
そして、本発明の実施の形態の船舶１は、上記の船舶の操縦システム１０を備えて構成される。従って、この船舶１は、上記の船舶の操縦システム１０を使用して操船できるので、この船舶の操縦システム１０で可能な操船を実施できる。
【００７３】
従って、上記の船舶の操縦システム１０、船舶１、及び船舶の操縦方法によれば、左舷側推進器２ａと左舷側舵２ｂとからなる左舷側推進システム２と、右舷側推進器３ａと右舷側舵３ｂとからなる右舷側推進システム３の２つの推進システム２、３を船尾に備えている船舶１の操縦システム１０において、比較的簡単な操縦操作の入力により、高度な操縦性を発揮できる。
【符号の説明】
【００７４】
１  船舶
２  左舷側推進システム
２ａ  左舷側推進器
２ｂ  右舷側推進器
３  右舷側推進システム
３ａ  左舷側舵
３ｂ  右舷側舵
１０  船舶の操縦システム
１１  前進直進制御手段
１２  並進制御手段
１２ａ  左舷並進制御手段
１２ｂ  右舷並進制御手段
１３  斜め前並進制御手段
１３ａ  左斜め前並進制御手段
１３ｂ  右斜め前並進制御手段
１４  斜め後並進制御手段
１４ａ  左斜め後並進制御手段
１４ｂ  右斜め後並進制御手段
１５  その場回頭制御手段
１５ａ  その場右回頭制御手段
１５ｂ  その場左回頭制御手段
１６  離桟制御手段
１６ａ  左舷側離桟制御手段
１６ｂ  右舷側離桟制御手段
１７  着桟制御手段
１７ａ  左舷側着桟制御手段
１７ｂ  右舷側着桟制御手段
１８  連続着桟制御手段
１８ａ  連続左舷側着桟制御手段
１８ｂ  連続右舷側着桟制御手段
２０  入力装置
２１  移動情報入力部（ジョイスティック）
２２  旋回情報入力部（ダイヤル）
３０  操縦制御装置
Ｆｘ  船舶の推進力(前進力、後進力)
Ｆｙ  横方向力
Ｍ１１  操船モード
Ｍ１２  離着桟制御モード
Ｍ１３  離着桟自動制御モード
Ｍ１３１  離桟自動制御モード
Ｍ１３２  着桟自動制御モード
Ｍ１３３  連続着桟自動制御モード
Ｔａ  左舷側推進システムの進力（前進力、後進力）
Ｔｂ  右舷側推進システムの進力（前進力、後進力）
【図１】
2018086988.tif 000003
【図２】
2018086988.tif 000004
【図３】
2018086988.tif 000005
【図４】
2018086988.tif 000006
【図５】
2018086988.tif 000007
【図６】
2018086988.tif 000008
【図７】
2018086988.tif 000009
【図８】
2018086988.tif 000010
【図９】
2018086988.tif 000011
【図１０】
2018086988.tif 000012
【図１１】
2018086988.tif 000013
【図１２】
2018086988.tif 000014
【図１３】
2018086988.tif 000015
【図１４】
2018086988.tif 000016
【図１５】
2018086988.tif 000017
【図１６】
2018086988.tif 000018
【図１７】
2018086988.tif 000019
【図１８】
2018086988.tif 000020
【図１９】
2018086988.tif 000021